(57)【要約】【課題】電子メニューに含まれる食事メニューのフィルタリング作業を支援する仕組みを提供する。【解決手段】複数の食事メニューを含む電子メニューを表示可能な情報処理装置であって、前記電子メニューを取得する第一の取得手段と、食事メニューを注文するユーザの食事の制約関する情報を含むユーザ条件を取得する第二の取得手段と、前記第一の取得手段により取得された電子メニューに含まれる複数の食事メニューについて、前記第二の取得手段により取得されたユーザ条件を用いて、表示のレベルを決定する表示決定手段と、前記表示決定手段により決定された表示のレベルを用いて、前記複数の食事メニューを、表示のレベルに従ってそれぞれ表示装置に表示させる制御を行う表示手段とを備える。【選択図】図１
2014120126.tif 000002
【特許請求の範囲】
【請求項１】
複数の食事メニューを含む電子メニューを表示可能な情報処理装置であって、
前記電子メニューを取得する第一の取得手段と、
食事メニューを注文するユーザの食事の制約関する情報を含むユーザ条件を取得する第二の取得手段と、
前記第一の取得手段により取得された電子メニューに含まれる複数の食事メニューについて、前記第二の取得手段により取得されたユーザ条件を用いて、表示のレベルを決定する表示決定手段と、
前記表示決定手段により決定された表示のレベルを用いて、前記複数の食事メニューを、表示のレベルに従ってそれぞれ表示装置に表示させる制御を行う表示手段と
を備えることを特徴とする情報処理装置。
【請求項２】
前記第一の取得手段により取得された電子メニューに含まれる複数の食事メニューについて、前記第二の取得手段により取得されたユーザ条件を用いて、操作のレベルを決定する操作決定手段を備え、
前記表示手段は、前記操作決定手段により決定された操作のレベルを用いて、前記複数の食事メニューを、操作のレベルに従ってそれぞれ表示させることを特徴とする請求項１に記載の情報処理装置。
【請求項３】
前記第二の取得手段は、複数のユーザ条件を取得するものであり、
前記表示決定手段および前記操作決定手段は、前記第二の取得手段により取得された複数のユーザ条件を用いて、レベルを決定することを特徴とする請求項２に記載の情報処理装置。
【請求項４】
複数の食事メニューを含む電子メニューを表示可能な情報処理装置における情報処理方法であって、
前記電子メニューを取得する第一の取得ステップと、
食事メニューを注文するユーザの食事の制約関する情報を含むユーザ条件を取得する第二の取得ステップと、
前記第一の取得ステップにより取得された電子メニューに含まれる複数の食事メニューについて、前記第二の取得ステップにより取得されたユーザ条件を用いて、表示のレベルを決定する表示決定ステップと、
前記表示決定ステップにより決定された表示のレベルを用いて、前記複数の食事メニューを、表示のレベルに従ってそれぞれ表示装置に表示させる制御を行う表示ステップと
を含むことを特徴とする情報処理方法。
【請求項５】
複数の食事メニューを含む電子メニューを表示可能な情報処理装置において実行可能なプログラムであって、
前記電子メニューを取得する第一の取得手段、
食事メニューを注文するユーザの食事の制約関する情報を含むユーザ条件を取得する第二の取得手段、
前記第一の取得手段により取得された電子メニューに含まれる複数の食事メニューについて、前記第二の取得手段により取得されたユーザ条件を用いて、表示のレベルを決定する表示決定手段、
前記表示決定手段により決定された表示のレベルを用いて、前記複数の食事メニューを、表示のレベルに従ってそれぞれ表示装置に表示させる制御を行う表示手段
として前記情報処理装置を機能させることを特徴とするプログラム。
【請求項６】
複数の食事メニューを含む電子メニューを管理するサーバと、前記電子メニューを表示可能な情報処理装置とが通信可能な情報処理システムであって、
前記電子メニューを取得する第一の取得手段と、
食事メニューを注文するユーザの食事の制約関する情報を含むユーザ条件を取得する第二の取得手段と、
前記第一の取得手段により取得された電子メニューに含まれる複数の食事メニューについて、前記第二の取得手段により取得されたユーザ条件を用いて、表示のレベルを決定する表示決定手段と、
前記表示決定手段により決定された表示のレベルを用いて、前記複数の食事メニューを、表示のレベルに従ってそれぞれ表示装置に表示させる制御を行う表示手段と
を備えることを特徴とする情報処理システム。
【発明の詳細な説明】
【技術分野】
【０００１】
電子メニューを表示させる技術分野に関する。
【背景技術】
【０００２】
現在、医療の発達による高齢化や健康志向による食事への関心の高まりにより自分に適した食事を素早く選択・摂取したいというニーズがある。
【０００３】
しかしながら、実際の食事場面でユーザが手に取るメニューにはカロリー表記や含まれるアレルギー原因となり得る食物について表記はあってもカロリー計算やアレルギー食物の含有のチェックはユーザ自身が行わなければならない。例えば、小児食物アレルギーを持つ子どもがいる家族がアレルギーを発症する食べ物が含まれた食事メニューに気付けずにその食べ物を与えてしまったら、食事が子どもの命に係わる事故になってしまう。またあるユーザが「痛風」を患い医師からビールの摂取を控えるよう言われていてもメニューにビールが表示されていれば誘惑に負け、思わず注文してしまい症状の悪化原因となってしまう。
【０００４】
健康体である一般ユーザ向けに作成、提供されている「健康ユーザ」向けの食事メニューと「健康に配慮する必要があるユーザ」が求める食事メニューは大きく異なり、現状では「健康に配慮する必要があるユーザ」が「健康ユーザ」向けの食事メニューに健康に配慮する観点からその場で多大な時間をかけ人的なフィルタリングを行っている。このフィルタリングは「健康に配慮する必要があるユーザ」にとって大きな負担となっており、この問題を解決する必要がある。
特許文献１には、ユーザ各々が食事メニューを容易に管理できる食事メニュー管理装置に関する技術が開示されている。
【先行技術文献】
【特許文献】
【０００５】
【特許文献１】特開２０１１−１０８１１５号公報
【発明の概要】
【発明が解決しようとする課題】
【０００６】
しかしながら、特許文献１の技術は、過去に提案したメニューの履歴情報を用いて、ユーザに食事メニューを容易に選択させるものであって、健康に配慮する必要があるユーザが従来行っている食事メニューのフィルタリング支援を行うものではない。
そこで、本発明は上記課題を解決するものであり、電子メニューに含まれる食事メニューのフィルタリング作業を支援する仕組みを提供することを目的とする。
【課題を解決するための手段】
【０００７】
本発明は、複数の食事メニューを含む電子メニューを表示可能な情報処理装置であって、前記電子メニューを取得する第一の取得手段と、食事メニューを注文するユーザの食事の制約関する情報を含むユーザ条件を取得する第二の取得手段と、前記第一の取得手段により取得された電子メニューに含まれる複数の食事メニューについて、前記第二の取得手段により取得されたユーザ条件を用いて、表示のレベルを決定する表示決定手段と、前記表示決定手段により決定された表示のレベルを用いて、前記複数の食事メニューを、表示のレベルに従ってそれぞれ表示装置に表示させる制御を行う表示手段とを備えることを特徴とする。
【発明の効果】
【０００８】
本発明によれば、電子メニューに含まれる食事メニューのフィルタリング作業を支援する仕組みを提供することができる。
【図面の簡単な説明】
【０００９】
【図１】本発明の実施の形態における情報処理システムの構成を示す図である。
【図２】本発明の実施の形態におけるハードウェア構成を示す図である。
【図３】本発明の実施の形態における処理の流れを示すフローチャートである。
【図４】本発明の実施の形態における処理の流れを示すフローチャートである。
【図５】本発明の実施の形態における各テーブルの一例を示す図である。
【図６】本発明の実施の形態におけるアレルギー情報を特定するテーブルの一例を示す図である。
【図７】本発明の実施の形態における表示画面の一例を示す図である。
【図８】本発明の実施の形態における表示画面の一例を示す図である。
【図９】本発明の実施の形態における表示画面の一例を示す図である。
【図１０】本発明の実施の形態における表示画面の一例を示す図である。
【図１１】本発明の実施の形態における表示画面の一例を示す図である。
【図１２】本発明の実施の形態における表示画面の一例を示す図である。
【図１３】本発明の実施の形態における表示画面の一例を示す図である。
【発明を実施するための形態】
【００１０】
以下、本発明の実施形態について図面を基に説明する。
図１は、本発明の実施の形態における情報処理システムの構成を示す図である。
情報処理装置は、センターサーバ１０１、店舗サーバ１０２、ユーザ端末１０３がネットワーク１０４を介して相互に通信可能に接続されている。
【００１１】
センターサーバ１０１は、食事に関する知識を有する栄養士等により入力された、食物に含まれるアレルギーやカロリーなどのデータをデータベースに管理しているサーバである。さらに、このデータを用いてメニュー管理者により作成された、各店舗で提供する食事メニュー情報（電子メニュー）をデータベースに管理している。食事メニューとは料理を識別するものである。電子メニューのテーブルの例を図５の５０１に示す。それぞれの食事メニューには、アレルギー情報が含まれている。なお、不図示であるが、食事メニューのカロリー情報も管理されているものとする。アレルギー情報は、図５に示す５０２のテーブルで管理されている。アレルギーレベルは、図６に示す基準に従って登録されるものである。
【００１２】
店舗サーバは、センターサーバ１０１で管理されている食事メニュー情報を取得して、取得した食事メニュー情報をユーザ端末１０２に提供するサーバである。また、ユーザ端末１０３から入力された食事メニューのオーダーを受け付ける機能も備えている。店員は、受け付けたオーダーの内容に従って、調理を行い、客に料理の提供を行うこととなる。
【００１３】
ユーザ端末１０３は、来店した客（ユーザ）が操作するクライアント端末であり、主に、タッチパネル形式のディスプレイを備える専用端末・タブレットＰＣ・スマートフォン等の端末である。なお、端末には専用のアプリケーションがインストールされているものとする。
ネットワーク１０４は、インターネットやイントラネット等の通信回線であり、有線または無線のいずれであってもよい。
図２は、本発明の実施の形態におけるハードウェア構成を示す図である。
【００１４】
次に、図２を用いて、図１に示したハードウェアの構成について説明する。
【００１５】
図２は、本発明の実施の形態におけるセンターサーバ１０１、店舗サーバ１０２、ユーザ端末１０３に適用可能な情報処理装置のハードウェア構成例を示すブロック図である。
【００１６】
図２に示すように、情報処理装置は、システムバス２０４を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０３、ＲＯＭ（Ｒｅａｄ  Ｏｎｌｙ  Ｍｅｍｏｒｙ）２０２、入力コントローラ２０５、ビデオコントローラ２０７、メモリコントローラ２０７、通信Ｉ／Ｆコントローラ２０８等が接続された構成を採る。
【００１７】
ＣＰＵ２０１は、システムバス２０４に接続される各デバイスやコントローラを統括的に制御する。
【００１８】
また、ＲＯＭ２０２あるいは外部メモリ２１１には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、各サーバあるいは各ＰＣが実行する機能を実現するために必要な後述する各種プログラム等が記憶されている。また、本発明を実施するために必要な情報が記憶されている。なお外部メモリはデータベースであってもよい。
【００１９】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードし、ロードしたプログラムを実行することで各種動作を実現する。
【００２０】
また、入力コントローラ２０５は、キーボード（ＫＢ）２０９や不図示のマウス（等のポインティングデバイス等からの入力を制御する。
【００２１】
ビデオコントローラ２０６は、ディスプレイ２１０等の表示器への表示を制御する。尚、表示器は液晶ディスプレイ等の表示器でもよい。これらは、必要に応じて管理者が使用する。
【００２２】
メモリコントローラ２０７は、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、あるいは、ＰＣＭＣＩＡ（Ｐｅｒｓｏｎａｌ  Ｃｏｍｐｕｔｅｒ  Ｍｅｍｏｒｙ  Ｃａｒｄ  ＩｎｔｅｒｎａｔｉｏｎａｌＡｓｓｏｃｉａｔｉｏｎ）カードスロットにアダプタを介して接続されるコンパクトフラッシュ（登録商標）メモリ等の外部メモリ２１１へのアクセスを制御する。
【００２３】
通信Ｉ／Ｆコントローラ２０８は、ネットワーク（例えば、図１に示したネットワーク１００）を介して外部機器と接続・通信し、ネットワークでの通信制御処理を実行する。例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いた通信等が可能である。
【００２４】
尚、ＣＰＵ２０１は、例えばＲＡＭ２０３内の表示情報用領域へアウトラインフォントの展開（ラスタライズ）処理を実行することにより、ディスプレイ２１０上に表示することが可能である。また、ＣＰＵ２０１は、ディスプレイ２１０上のマウスカーソル（図示しない）等によるユーザ指示を可能とする。
【００２５】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイルおよび各種情報テーブル等も、外部メモリ２１１に格納されており、これらについての詳細な説明についても後述する。
【００２６】
次に、図３〜図１３を用いて、本発明の実施の形態における処理の流れを説明する。
図３および図４は、本発明の実施の形態における処理の流れを示すフローチャートである。
処理の主体は、ユーザ端末であり、来店した客（ユーザ）がユーザ端末を操作するものとする。本発明の実施の形態では、店舗に備え付けの専用のユーザ端末を操作する場合を例に説明を行う。
【００２７】
Ｓ３０１において、ユーザ端末は、店舗端末から電子メニューをダウンロードする。ダウンロードは、ユーザの来店前もしくは操作時のいずれであってもよい。
Ｓ３０２において、ユーザ端末は、電子メニューを操作するモードを起動する。
【００２８】
Ｓ３０３において、ユーザ端末は、ユーザ条件を読み込むかを確認する画面を表示させる。ユーザ条件とは、そのユーザのカロリー情報やアレルギー情報を含むフードデータともいう。図５に確認画面の一例を示す。カロリー情報には、本日摂取することができる上限カロリー情報が含まれているものとする。なお、ユーザは、自動・手動によりその日のカロリー情報の登録を行っているものとして、一日の取得可能カロリーから既に取得したカロリーを減算することで、残りの摂取可能カロリーが算出されているものとする。アレルギー情報には、そのユーザが摂取してはいけないカロリー情報が含まれているものとする。
【００２９】
Ｓ３０４において、ユーザ端末は、確認の画面を介して、ユーザの操作により、ユーザ条件を読み込む旨の指示がなされたかを判定する。Ｙｅｓの場合、Ｓ３０５へ進み、Ｎｏの場合、Ｓ４０１へ進む。
【００３０】
Ｓ３０５において、ユーザ端末は、ユーザ条件（フードデータ）を取得する。ユーザ条件を取得する方法は、様々な方式を採用することができるが、本発明の実施の形態では、ユーザが所持する携帯端末の内部で保持しているユーザ条件（フードデータ）を取得するものとして説明を行う。取得する方式として、ＷｉＦｉ通信、Ｂｌｕｅｔｏｏｔｈ（登録商標）通信、ＩＣカード読み取りなどの近距離非接触通信による方法がある。
Ｓ３０６において、ユーザ端末は、取得したユーザ条件を内部メモリのユーザ条件リストに書き込む。図５の５０２にユーザ条件リストの一例を示す。
【００３１】
Ｓ３０７において、ユーザ端末は、他のユーザ条件を読み込むかを確認する画面を表示させる。図８に確認画面の一例を示す。ユーザは、例えば、同伴している家族や友達のユーザ条件を読み込ませる場合に、他のユーザのユーザ条件を読み込ませる操作を行う。
【００３２】
Ｓ３０８において、ユーザ端末は、確認の画面を介して、ユーザの操作により、他のユーザ条件を読み込む旨の指示がなされたかを判定する。Ｙｅｓの場合、Ｓ３０５へ進み、Ｎｏの場合、Ｓ３０９へ進む。
Ｓ３０９において、ユーザ端末は、ユーザ条件を削除するかを確認する画面を表示させる。図９に確認画面の一例を示す。
【００３３】
Ｓ３１０において、ユーザ端末は、確認の画面を介して、ユーザの操作により、ユーザ条件を削除する旨の指示がなされたかを判定する。Ｙｅｓの場合、Ｓ３１１へ進み、Ｎｏの場合、Ｓ３１２へ進む。
Ｓ３１１において、ユーザ端末は、削除するユーザを指定可能な削除画面（図１０）を表示させて、指定されたユーザのユーザ条件を内部メモリから削除する。
Ｓ３１２において、ユーザ端末は、内部メモリに書き込まれているユーザ条件リストを確定したユーザ条件として設定する。
Ｓ４０１において、ユーザ端末は、ユーザ条件があるかを判定する。Ｙｅｓの場合、Ｓ４０２へ進み、Ｎｏの場合、Ｓ４０６へ進む。
【００３４】
Ｓ４０２において、ユーザ端末は、ユーザ条件を用いて、電子メニューに含まれる複数のメニューそれぞれについて、表示レベルを決定する。表示レベルには、通常の表示、警告の表示、提供不可のいずれかのレベルが決定される。例えば、取得してはいけないアレルギー物質が含まれる場合、提供不可となり、取得を制限すべきアレルギー物質が含まれる場合や摂取可能カロリーの上限を超えるような場合、警告の表示となる。
【００３５】
Ｓ４０３において、ユーザ端末は、表示レベルを各メニューに反映させる処理を行う。例えば、通常の表示は、そのままの表示とし、警告の表示は、赤色のフィルタをかけ、提供不可の場合は、白黒のフィルタをかける処理を行う
【００３６】
Ｓ４０４において、ユーザ条件を用いて、電子メニューに含まれる複数のメニューそれぞれについて、操作レベルを決定する。操作レベルには、通常の操作、警告の通知、操作不可のいずれかのレベルが決定される。
【００３７】
Ｓ４０５において、ユーザ端末は、操作レベルを各メニューに反映させる処理を行う。例えば、通常の操作は、そのままの操作とし、警告の通知は、操作すると警告の通知を行い、操作不可の場合は、操作をできないようにする処理を行う。
【００３８】
Ｓ４０６において、ユーザ端末は、電子メニューを表示する処理を行う。図１１に電子メニューの１メニューについての表示例を示す。それぞれの表示レベルに応じた画面の例を１１０１、１１０２、１１０３に示している。
Ｓ４０７において、ユーザ端末は、食事メニューの選択を受け付ける。選択画面の一例を図１２に示す。
【００３９】
Ｓ４０８において、ユーザ端末は、ユーザ条件を変更するかを判定する。Ｙｅｓの場合、Ｓ３０３へ戻り、Ｎｏの場合、Ｓ４０９へ進む。例えば、変更ボタン（不図示）が選択されたかにより判定を行う。複数のユーザ条件により電子メニューを表示した場合、あるユーザにとって選択できないものが含まれると他のユーザも選択することができないため、任意のユーザ情報を削除したい場合に、この操作が行われる。
Ｓ４０９において、ユーザ端末は、選択された食事メニューを注文する処理を行う。具体的には、店舗サーバに選択された食事メニュー情報を送信する。注文時の画面の一例を図１３に示す。
Ｓ４１０において、ユーザ端末は、ユーザ条件を削除するかを判定する。Ｙｅｓの場合、Ｓ４１１へ進み、Ｎｏの場合、Ｓ３０２へ戻る。
ｓ４１１において、ユーザ端末は、ユーザ条件を削除する処理を行って、処理を終了する
以上、本発明の実施の形態の説明をした。
上述した通り、本発明によれば、電子メニューに含まれる食事メニューのフィルタリング作業を支援する仕組みを提供することができる。
【００４０】
また、「健康に配慮するユーザ」にとって安全、最適かつ体調に配慮した食事メニューを素早く摂取・取得でき、その中から好みの食事メニューを選択することができる。小児のいる家族にとってはアレルギーのある食事を摂取したことによる事故の防止が可能であり、成人にとっては過度のカロリー摂取が原因の成人病などの疾病を予防できる。さらには病気やケガの回復期に行う食餌療法の効果促進も見込める。
【００４１】
食事メニューを一部非表示にすることで「健康に配慮するユーザ」は安全かつ安心できる食事を素早く選択でき、各ユーザはそれぞれに合った最適な食事メニューをストレスなく享受することができる。
【００４２】
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用してもよいし、また、一つの機器からなる装置に適用してもよい。
【００４３】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００４４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、ＯＳに供給するスクリプトデータ等の形態であってもよい。
【００４６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４７】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００５０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【００５１】
１０１  センターサーバ
１０２  店舗サーバ
１０３  ユーザ端末
１０４  ネットワーク
【図１】
2014120126.tif 000003
【図２】
2014120126.tif 000004
【図３】
2014120126.tif 000005
【図４】
2014120126.tif 000006
【図５】
2014120126.tif 000007
【図６】
2014120126.tif 000008
【図７】
2014120126.tif 000009
【図８】
2014120126.tif 000010
【図９】
2014120126.tif 000011
【図１０】
2014120126.tif 000012
【図１１】
2014120126.tif 000013
【図１２】
2014120126.tif 000014
【図１３】
2014120126.tif 000015